(57)【要約】【課題】鋼管を躯体とするビニールハウスの換気装置の従来の技術は、大掛かりで高コストの換気装置であった。また、ビニール自体に取り付ける換気窓の技術もあるが、ビニールに直接取り付ける構造のため経年変化等により取り付け強度が低下するという欠陥があった。【解決手段】鋼管を躯体としたビニールハウスにおいて、ビニールハウスの隣り合う平行な２本の鋼管の任意の場所に取り付け可能な鋼管固定部と、ビニールを鋼管固定部と共に挟みこむための扉枠部と、扉枠部に取り付けられ、蓋の役目をする扉部を備えた構成とし、鋼管固定部の中央部の換気口形状を縦長形状にし、扉部を取り付た状態の扉枠部がこの換気口を通過できる寸法にした。【選択図】図２
2014064552.tif 000002
【特許請求の範囲】
【請求項１】
鋼管２を躯体としたビニールハウスにおいて、構成する鋼管２の平行な２本の間に取り付け可能な中央開口部を備えた鋼管固定部３と、鋼管固定部３を平行な２本の鋼管に固定するための固定具４と、ビニールを鋼管固定部３に狭持固定するための中央開口部を備えた扉枠部５と、扉枠部５の中央開口部の蓋の役目をする扉部６を備えたことを特徴とするビニールハウス換気扉。
【請求項２】
前記ビニールハウス換気扉において、鋼管２の直径より厚みのある鋼管固定部３と、扉枠部５の底面に防水部材を取り付けたことを特徴とする、請求項１記載のビニールハウス換気扉。
【請求項３】
前記ビニールハウス換気扉において、鋼管固定部３の中央開口部の形状が縦長形状であり、扉部６を取り付けた状態の扉枠部５がこの中央開口部を通過できる寸法であることを特徴とする、請求項１記載のビニールハウス換気扉。
【発明の詳細な説明】
【技術分野】
【０００１】本発明は、鋼管を躯体としたビニールハウスに取り付けられ、ビニールハウス内を換気する換気扉に関する。
【背景技術】
【０００２】従来、鋼管を躯体としたビニールハウスの換気装置として、ビニールハウスの側面に設置し、ビニールを巻き上げて開閉する技術がある。ところが、側面を巻き上げる技術は、側面のビニールの開閉しかできないため、ビニールハウスの上部の空気は滞留したままとなるという問題がある。【０００３】そこで、天井部分を開閉するようにした技術（例えば、特許文献１参照）や、ビニール部分に直接換気窓を取り付けて開閉するようにした技術（例えば、特許文献２参照）等が提案されている。
【先行技術文献】
【特許文献】
【０００４】
【特許文献１】実開昭５６−１２９２５８号公報
【特許文献２】特許第３９５３４４０号公報
【発明の概要】
【発明が解決しようとする課題】
【０００５】しかしながら、上記特許文献の天井部分を開閉するようにした技術は、ビニールハウス上部を解放するため、ビニールハウス内の換気は可能となるが、装置が大掛かりとなり、設備の導入コストが大きくなるという問題がある。【０００６】また、ビニール部分に直接換気窓を取り付けて開閉するようにした技術は、ビニールハウスの上部に取り付けることで、ビニールハウス内の換気は可能となり、装置構造も大掛かりでなく、導入コストも小さくなるが、ビニール部分に直接取り付ける構造であるため、経年変化等により取り付け強度が低下するという欠陥が考えられる。
【課題を解決するための手段】
【０００７】上記従来の課題を解決するため本発明は、鋼管を躯体としたビニールハウスにおいて、ビニールハウスの隣り合う平行な２本の鋼管の任意の場所に取り付け可能な鋼管固定部と、ビニールを鋼管固定部と共に挟みこむための扉枠部と、扉枠部に取り付けられ、蓋の役目をする扉部を備えた構成とした。【０００８】また、鋼管の直径より厚みのある鋼管固定部と扉枠部の底面に防水部材を取り付けた構成とした。【０００９】また、換気の為の扉開閉を行うため、扉部の内側面に扉開閉用の支柱を取り付けられる構造とした。【００１０】そして、鋼管固定部の中央部の換気口の形状が縦長形状であり、扉部を取り付けた状態の扉枠部がこの換気口を通過できる寸法とした。
【発明の効果】
【００１１】本発明により、鋼管を躯体としたビニールハウスにおいて、ビニールハウスの隣り合う平行な２本の鋼管の任意の場所に、換気の為の扉を簡単に取り付けることが可能となり、空気が滞留しやすい天井付近に取り付けることで、低コストで、風の影響を受けにくい堅牢なビニールハウス用換気装置を利用できる。
鋼管の直径よりも鋼管固定部を厚くすることで、既設のビニール表面の高さより鋼管固定部と扉枠部の接合面を高くしたことと、防水材料を取り付けたことにより雨水等の浸入を防げる。また、鋼管固定部の中央部の換気口形状を縦長にし、扉部を取り付けた扉枠部を通過できる形状としたことにより、既に設置され利用中のビニールハウスでもビニールハウスの内側から取り付け可能となる。
【図面の簡単な説明】
【００１２】
【図１】本発明装置をビニールハウスに設置した状態を示す図である。
【図２】本発明装置の外観図である。
【図３】鋼管に鋼管固定部を取り付けた図である。
【図４】扉枠部の外観図である。
【図５】扉部の外観図である。
【発明を実施するための形態】
【００１３】以下、添付図面に基づいて本発明装置の実施形態を説明する。
【実施例１】
【００１４】図１に、本発明装置を鋼管２を躯体としたビニールハウス１に設置した例を示す。本発明装置をビニールハウス１の天井近くに設置し、開閉支柱を操作して扉部６を開け、天井付近から換気を行う。これにより、天井付近の空気を外部に排出でき、空気滞留のない換気が可能になる。【００１５】図２に本発明装置の外観図を示す。本発明装置は、鋼管固定部３、扉枠部５、扉部６で構成される。扉枠部５、扉部６はビニールハウス１の外側に設置されるため、樹脂またはアルミなどの防錆効果の高い材料を使用する。【００１６】図３に、鋼管２に鋼管固定部３を取り付けた図を示す。ビニールハウス１の躯体である隣り合う平行な２本の鋼管２の任意の場所に鋼管固定部３を固定具４を用いてビニールハウス１の内側から取り付ける。鋼管固定部３の取り付け位置は、空気の滞留を防止するため、ビニールハウス１の天井付近で固定する。【００１７】図４で示す扉枠部５に、図５で示す扉部６を取付ける。次に鋼管固定部３の中央部の換気口にあたる空洞部分のビニールをビニールハウス１の内側からカッター等で切除し、この切除した部分から扉枠部５に扉部６を組みつけたものをビニールハウス１の内側から外側に出す。これをビニールハウス１の外側からビニールを挟み込む形で鋼管固定部３と重ね合わせ、ねじ等で固定する。この様にビニールハウス１の内側から設置作業を行うことが可能となった。【００１８】扉枠部５のビニールと接する面には防水シートが取り付けてあり、ビニールハウス１の外側からビニールハウス１の内部への雨水等の侵入を防ぐ構造である。【００１９】例えば、扉部６の開閉については、扉部６の内側を支柱等で押し上げて開閉し、支柱の高さを固定することで扉部の開閉角度を調整する方法がある。さらに、モータ等の駆動装置を使用した自動開閉も可能である。
【産業上の利用可能性】
【００２０】本発明装置は鋼管２を躯体としたビニールハウス１において、ビニールハウス１の隣り合う平行な２本の鋼管２の任意の場所に取り付け可能であることから、ビニールハウス１全体の換気が可能となる。さらに、鋼管２を使用した畜舎や車庫等にも従来の天窓にかえて利用可能である。
【符号の説明】
【００２１】      １    ビニールハウス
２    鋼管
３    鋼管固定部
４    固定具
５    扉枠部
６    扉部
【図１】
2014064552.tif 000003
【図２】
2014064552.tif 000004
【図３】
2014064552.tif 000005
【図４】
2014064552.tif 000006
【図５】
2014064552.tif 000007